(57)【要約】  本出願は、端末デバイス及び端末デバイスの機能カードを固定又はロック解除する方法を提供する。端末デバイスは、カードコンテナと、固定装置と、プロセッサとを含み、カードコンテナは、機能カードを収容するように構成され、ノッチはカードコンテナには位置され、固定装置は伸縮可能部を含み、伸縮可能部は、カードコンテナを固定するためにノッチまで伸び、或いは、カードコンテナをロック解除するためにノッチから離れ、プロセッサは、ユーザにより入力された認証情報に従って、認証情報が正しいか否かを判断し、認証情報が正しい場合、固定装置の伸縮可能部がカードコンテナを固定するためにノッチまで伸びるように、或いは、カードコンテナをロック解除するためにノッチから離れるように制御するように構成される。このように、機能カードは、認証情報が正しい場合にのみ取り外されることが可能になり、従って、機能カードが無作為に取り外されることが妨げられる。
2016529600.tif 000002
【特許請求の範囲】
【請求項１】
カードコンテナと、固定装置と、プロセッサとを有する端末デバイスであって、
前記カードコンテナは、機能カードを収容するように構成され、前記カードコンテナはノッチを有し、
前記固定装置は伸縮可能部を有し、前記伸縮可能部は、前記カードコンテナを固定するために前記ノッチまで伸び、或いは、前記カードコンテナをロック解除するために前記ノッチから離れ、
前記プロセッサは、ユーザにより入力された認証情報に従って、前記認証情報が正しいか否かを判断し、前記認証情報が正しい場合、前記固定装置の前記伸縮可能部が前記カードコンテナを固定するために前記ノッチまで伸びるように、或いは、前記カードコンテナをロック解除するために前記ノッチから離れるように制御するように構成される端末デバイス。
【請求項２】
前記固定装置は制限部を更に含み、前記制限部は、前記伸縮可能部が前記ノッチへの方向に沿って移動するように前記伸縮可能部の自由度を制限し、前記プロセッサの制御で、前記伸縮可能部は、前記カードコンテナを固定するために前記ノッチまで伸び、或いは、前記カードコンテナをロック解除するために前記ノッチから離れる、請求項１に記載の端末デバイス。
【請求項３】
前記制限部はナットであり、前記伸縮可能部は、モータと、ねじロッドとを有し、前記ねじロッドの一端は前記モータに接続され、前記モータは、前記プロセッサの制御で、前記ねじロッドが前記カードコンテナを固定するために前記ノッチまで伸びるように、或いは、前記カードコンテナをロック解除するために前記ノッチから離れるように、前記ねじロッドが前記ナットを移動するように駆動する、請求項２に記載の端末デバイス。
【請求項４】
前記制限部は制限リングであり、前記伸縮可能部は、電磁コイルと、磁気ロッドとを有し、前記磁気ロッドの一端は前記電磁コイルに接続され、前記電磁コイルは、前記プロセッサの制御で、前記磁気ロッドが前記ノッチまで伸びるように、或いは、前記ノッチから離れるように、前記磁気ロッドが前記制限リングを移動するように駆動する、請求項２に記載の端末デバイス。
【請求項５】
前記固定装置は、ばねと、電磁コイルとを更に有し、前記伸縮可能部はロック突出部であり、前記ロック突出部の一端は傾斜面を有し、前記ロック突出部の他端は前記電磁コイルを通じて前記ばねに接続され、
前記カードコンテナが移動する場合、前記カードコンテナは、前記ばねが弾力的に変形するように、前記ロック突出部の前記傾斜面を押し、前記ノッチが前記ロック突出部に面する場合、前記ロック突出部は、前記ばねの作用で前記ノッチまで伸び、これにより、前記カードコンテナを固定し、
前記プロセッサが、前記固定装置の前記伸縮可能部が前記カードコンテナを固定するために前記ノッチまで伸びるように、或いは、前記カードコンテナをロック解除するために前記ノッチから離れるように制御するように構成されることは、具体的に、
前記電磁コイルが、前記ロック突出部が磁力の作用で前記ノッチから離れるように、前記磁力を生成するために前記プロセッサの制御で前記ロック突出部を磁化し、これにより、前記カードコンテナをロック解除することである、請求項１に記載の端末デバイス。
【請求項６】
前記ユーザにより入力された前記認証情報は、前記ユーザにより入力されたパスワード、前記ユーザにより入力された指紋情報、及び前記ユーザにより入力された虹彩情報のうち少なくとも１つである、請求項１ないし５のうちいずれか１項に記載の端末デバイス。
【請求項７】
前記機能カードは、SIMカード、USIMカード、SDカード、及びTFカードのうちいずれか１つである、請求項１ないし６のうちいずれか１項に記載の端末デバイス。
【請求項８】
前記端末デバイスは、移動電話、タブレット、ウェアラブルデバイス、又はデジタルカメラである、請求項１ないし７のうちいずれか１項に記載の端末デバイス。
【請求項９】
端末デバイスの機能カードを固定又はロック解除する方法であり、前記端末デバイスは、カードコンテナと、固定装置とを有し、前記カードコンテナは、前記機能カードを収容するように構成され、前記カードコンテナはノッチを有し、前記固定装置は伸縮可能部を有し、前記伸縮可能部は、前記カードコンテナを固定するために前記ノッチまで伸び、或いは、前記カードコンテナをロック解除するために前記ノッチから離れる方法であって、
ユーザにより入力された認証情報を受信するステップと、
前記ユーザにより入力された前記認証情報が正しいか否かを判断するステップと、
前記ユーザにより入力された前記認証情報が正しい場合、前記固定装置の前記伸縮可能部が前記カードコンテナを固定するために前記ノッチまで伸びるように、或いは、前記カードコンテナをロック解除するために前記ノッチから離れるように制御するステップと
を有する方法。
【請求項１０】
前記固定装置は制限部を更に有し、前記制限部は、前記伸縮可能部が前記ノッチへの方向に沿って移動するように前記伸縮可能部の自由度を制限し、前記制限部はナットであり、前記伸縮可能部は、モータと、ねじロッドとを含み、前記ねじロッドの一端は前記モータに接続され、
前記固定装置の前記伸縮可能部が前記カードコンテナを固定するために前記ノッチまで伸びるように、或いは、前記カードコンテナをロック解除するために前記ノッチから離れるように制御するステップは、具体的に、
前記モータを制御して、前記ねじロッドが前記カードコンテナを固定するために前記ノッチまで伸びるように、或いは、前記カードコンテナをロック解除するために前記ノッチから離れるように、前記ねじロッドが前記ナットを移動するように駆動するステップである、請求項９に記載の方法。
【請求項１１】
前記固定装置は制限部を更に有し、前記制限部は、前記伸縮可能部が前記ノッチへの方向に沿って移動するように前記伸縮可能部の自由度を制限し、前記制限部は制限リングであり、前記伸縮可能部は、電磁コイルと、磁気ロッドとを有し、前記磁気ロッドの一端は前記電磁コイルに接続され、
前記固定装置の前記伸縮可能部が前記カードコンテナを固定するために前記ノッチまで伸びるように、或いは、前記カードコンテナをロック解除するために前記ノッチから離れるように制御するステップは、具体的に、
前記電磁コイルを制御して、前記磁気ロッドが前記カードコンテナを固定するために前記ノッチまで伸びるように、或いは、前記カードコンテナをロック解除するために前記ノッチから離れるように、前記磁気ロッドが前記制限リングを移動するように駆動するステップである、請求項９に記載の方法。
【請求項１２】
前記固定装置は、ばねと、電磁コイルとを更に有し、前記伸縮可能部はロック突出部であり、前記ロック突出部の一端は傾斜面を有し、前記ロック突出部の他端は前記電磁コイルを通じて前記ばねに接続され、
前記カードコンテナが移動する場合、前記カードコンテナは、前記ばねが弾力的に変形するように、前記ロック突出部の前記傾斜面を押し、前記ノッチが前記ロック突出部に面する場合、前記ロック突出部は、前記カードコンテナを固定するために、前記ばねの作用で前記ノッチまで伸び、
前記固定装置の前記伸縮可能部が前記カードコンテナを固定するために前記ノッチまで伸びるように、或いは、前記カードコンテナをロック解除するために前記ノッチから離れるように制御するステップは、具体的に、
前記電磁コイルを制御して、前記カードコンテナをロック解除するために、前記ロック突出部が磁力の作用で前記ノッチから離れるように、前記磁力を生成するために前記ロック突出部を磁化するステップである、請求項９に記載の方法。
【発明の詳細な説明】
【技術分野】
【０００１】
本出願は、通信技術の分野に関し、特に端末デバイス及び端末デバイスの機能カードを固定又はロック解除する方法に関する。
【背景技術】
【０００２】
既存の端末デバイスは、一般的に機能カード、例えば、スマートカード又はメモリカードを備えている。スマートカードは、デジタル移動電話ユーザについての情報、暗号鍵、ユーザのアドレス帳のようなコンテンツを記憶し、メモリカードは、ユーザのデータ等を記憶する。今日では、機能カードは、一般的に、無作為に取り外し可能である。しかし、或る場合には、ユーザは、機能カードが無作為に取り外されないことを期待する。例えば、ユーザの端末が盗まれた後に、泥棒がスマートカードを無作為に変更できる場合、泥棒は、盗まれた電話を無作為に使用することができ、これにより、ユーザにとって損害をもたらす。
【発明の概要】
【０００３】
本発明の実施例は、機能カードを固定又はロック解除することができ、機能カードが無作為に取り外されることを妨げることができる、端末デバイス及び端末デバイスの機能カードを固定又はロック解除する方法を提供する。
【０００４】
本出願の第１の態様は、端末デバイスを提供し、端末デバイスは、カードコンテナと、固定装置と、プロセッサとを含み、カードコンテナは、機能カードを収容するように構成され、カードコンテナはノッチを有し、固定装置は伸縮可能部を含み、伸縮可能部は、カードコンテナを固定するためにノッチまで伸び、或いは、カードコンテナをロック解除するためにノッチから離れ、プロセッサは、ユーザにより入力された認証情報に従って、認証情報が正しいか否かを判断し、認証情報が正しい場合、固定装置の伸縮可能部がカードコンテナを固定するためにノッチまで伸びるように、或いは、カードコンテナをロック解除するためにノッチから離れるように制御するように構成される。
【０００５】
第１の態様を参照して、本出願の第１の態様の第１の可能な実現方式では、固定装置は制限部を更に含み、制限部は、伸縮可能部がノッチへの方向に沿って移動するように伸縮可能部の自由度を制限し、プロセッサの制御で、伸縮可能部は、カードコンテナを固定するためにノッチまで伸び、或いは、カードコンテナをロック解除するためにノッチから離れる。
【０００６】
第１の態様の第１の可能な実現方式を参照して、本出願の第１の態様の第２の可能な実現方式では、制限部はナットであり、伸縮可能部は、モータと、ねじロッドとを含み、ねじロッドの一端はモータに接続され、モータは、プロセッサの制御で、ねじロッドがノッチまで伸びるように、或いは、ノッチから離れるように、ねじロッドがナットを移動するように駆動する。
【０００７】
第１の態様の第１の可能な実現方式を参照して、本出願の第１の態様の第３の可能な実現方式では、制限部は制限リングであり、伸縮可能部は、電磁コイルと、磁気ロッドとを含み、磁気ロッドの一端は電磁コイルに接続され、電磁コイルは、プロセッサの制御で、磁気ロッドがノッチまで伸びるように、或いは、ノッチから離れるように、磁気ロッドが制限リングを移動するように駆動する。
【０００８】
第１の態様を参照して、本出願の第１の態様の第４の可能な実現方式では、固定装置は、ばねと、電磁コイルとを更に含み、制限部はロック突出部であり、ロック突出部の一端は傾斜面を有し、ロック突出部の他端は電磁コイルを通じてばねに接続され、カードコンテナが移動する場合、カードコンテナは、ばねが弾力的に変形するように、ロック突出部の傾斜面を押し、ノッチがロック突出部に面する場合、ロック突出部は、ばねの作用でノッチまで伸び、これにより、カードコンテナを固定し、プロセッサが、固定装置の伸縮可能部がカードコンテナを固定するためにノッチまで伸びるように、或いは、カードコンテナをロック解除するためにノッチから離れるように制御するように構成されることは、具体的に、電磁コイルが、ロック突出部が磁力の作用でノッチから離れるように、磁力を生成するためにプロセッサの制御でロック突出部を磁化し、これにより、カードコンテナをロック解除することである。
【０００９】
第１の態様及び第１の態様の第１〜第４の可能な実現方式を参照して、本出願の第１の態様の第５の可能な実現方式では、ユーザにより入力された認証情報は、ユーザにより入力されたパスワード、ユーザにより入力された指紋情報、及びユーザにより入力された虹彩情報のうち少なくとも１つである。
【００１０】
第１の態様及び第１の態様の第１〜第５の可能な実現方式を参照して、本出願の第１の態様の第６の可能な実現方式では、機能カードは、SIMカード、USIMカード、SDカード、及びTFカードのうちいずれか１つである。
【００１１】
第１の態様及び第１の態様の第１〜第６の可能な実現方式を参照して、本出願の第１の態様の第７の可能な実現方式では、端末デバイスは、移動電話、タブレット、ウェアラブルデバイス、又はデジタルカメラである。
【００１２】
本出願の第２の態様は、端末デバイスの機能カードを固定又はロック解除する方法を提供し、端末デバイスは、カードコンテナと、固定装置とを含み、カードコンテナは、機能カードを収容するように構成され、カードコンテナはノッチを有し、固定装置は伸縮可能部を含み、伸縮可能部は、カードコンテナを固定するためにノッチまで伸び、或いは、カードコンテナをロック解除するためにノッチから離れ、この方法は、ユーザにより入力された認証情報を受信するステップと、ユーザにより入力された認証情報が正しいか否かを判断するステップと、ユーザにより入力された認証情報が正しい場合、固定装置の伸縮可能部がカードコンテナを固定するためにノッチまで伸びるように、或いは、カードコンテナをロック解除するためにノッチから離れるように制御するステップとを含む。
【００１３】
第２の態様を参照して、本出願の第２の態様の第１の可能な実現方式では、固定装置は制限部を更に含み、制限部は、伸縮可能部がノッチへの方向に沿って移動するように伸縮可能部の自由度を制限し、制限部はナットであり、伸縮可能部は、モータと、ねじロッドとを含み、ねじロッドの一端はモータに接続され、固定装置の伸縮可能部がカードコンテナを固定するためにノッチまで伸びるように、或いは、カードコンテナをロック解除するためにノッチから離れるように制御するステップは、具体的に、モータを制御して、ねじロッドがカードコンテナを固定するためにノッチまで伸びるように、或いは、カードコンテナをロック解除するためにノッチから離れるように、ねじロッドがナットを移動するように駆動するステップである。
【００１４】
第２の態様を参照して、本出願の第２の態様の第２の可能な実現方式では、固定装置は制限部を更に含み、制限部は、伸縮可能部がノッチへの方向に沿って移動するように伸縮可能部の自由度を制限し、制限部は制限リングであり、伸縮可能部は、電磁コイルと、磁気ロッドとを含み、磁気ロッドの一端は電磁コイルに接続され、固定装置の伸縮可能部がカードコンテナを固定するためにノッチまで伸びるように、或いは、カードコンテナをロック解除するためにノッチから離れるように制御するステップは、具体的に、電磁コイルを制御して、磁気ロッドがカードコンテナを固定するためにノッチまで伸びるように、或いは、カードコンテナをロック解除するためにノッチから離れるように、磁気ロッドが制限リングを移動するように駆動するステップである。
【００１５】
第２の態様を参照して、本出願の第２の態様の第３の可能な実現方式では、固定装置は、ばねと、電磁コイルとを更に含み、伸縮可能部はロック突出部であり、ロック突出部の一端は傾斜面を有し、ロック突出部の他端は電磁コイルを通じてばねに接続され、カードコンテナが移動する場合、カードコンテナは、ばねが弾力的に変形するように、ロック突出部の傾斜面を押し、ノッチがロック突出部に面する場合、ロック突出部は、カードコンテナを固定するために、ばねの作用でノッチまで伸び、固定装置の伸縮可能部がカードコンテナを固定するためにノッチまで伸びるように、或いは、カードコンテナをロック解除するためにノッチから離れるように制御するステップは、具体的に、電磁コイルを制御して、カードコンテナをロック解除するために、ロック突出部が磁力の作用でノッチから離れるように、磁力を生成するためにロック突出部を磁化するステップである。
【００１６】
前述の対策では、ノッチはカードコンテナに配置され、認証情報が正しい場合、固定装置の伸縮可能部は、カードコンテナを固定するためにノッチまで伸びるように、或いは、カードコンテナをロック解除するためにノッチから離れるように制御される。このように、機能カードは、認証情報が正しい場合にのみ取り外されることが可能になり、従って、機能カードが無作為に取り外されることが妨げられる。
【図面の簡単な説明】
【００１７】
【図１】本出願による端末デバイスの実現方式の概略構成図
【図２】図１に示す端末デバイスの具体的な実現方式の概略図
【図３】図１に示す端末デバイスの他の具体的な実現方式の概略図
【図４】本出願による端末デバイスの他の実現方式の概略構成図
【図５】本出願による端末デバイスの他の実現方式の固定状態の概略図
【図６】本出願による端末デバイスの機能カードを固定又はロック解除する方法の実現方式のフローチャート
【発明を実施するための形態】
【００１８】
図１を参照すると、図１は、本出願による端末デバイスの実現方式の概略構成図である。端末デバイスは、移動電話、タブレット、ウェアラブルデバイス、又はデジタルカメラでもよい。この実現方式の端末デバイスは、カードコンテナ110と、固定装置120と、プロセッサ130とを含む。
【００１９】
カードコンテナ110は、機能カードを収容するように構成され、ノッチ（notch）111はカードコンテナ110に配置される。機能カードは、SIMカード、USIMカード、SDカード、及びTFカードのうちいずれか１つでもよい。
【００２０】
固定装置120は伸縮可能部123を含み、伸縮可能部123は、カードコンテナ110を固定するためにノッチ111まで伸び、或いは、カードコンテナ110をロック解除するためにノッチ111から離れる。
【００２１】
プロセッサ130は、ユーザにより入力された認証情報に従って、認証情報が正しいか否かを判断し、認証情報が正しい場合、固定装置120の伸縮可能部123がカードコンテナ110を固定するためにノッチ111まで伸びるように、或いは、カードコンテナ110をロック解除するためにノッチ111から離れるように制御するように構成される。
【００２２】
前述の対策では、ノッチ111はカードコンテナ110に配置され、認証情報が正しい場合、プロセッサ130は、固定装置120の伸縮可能部123がカードコンテナ110を固定するためにノッチ111まで伸びるように、或いは、カードコンテナ110をロック解除するためにノッチ111から離れるように制御する。このように、機能カードは、認証情報が正しい場合にのみ取り外されることが可能になり、従って、機能カードが無作為に取り外されることが妨げられる。
【００２３】
更に、固定装置120は制限部121を更に含み、制限部121は、伸縮可能部123がノッチ111への方向に沿って移動するように伸縮可能部123の自由度を制限するように構成される。
【００２４】
プロセッサ130は、汎用プロセッサ、デジタルシグナルプロセッサ（DSP）、特定用途向け集積回路（ASIC）、フィールドプログラマブルゲートアレイ（FPGA）若しくは他のプログラム可能論理デバイス、トランジスタ論理デバイス、又はディスクリートハードウェアコンポーネントでもよい。
【００２５】
更に、端末デバイスは、メモリ140を更に含んでもよい。メモリ140は、停電状態であってもデータを記憶することができるコンポーネントでもよく、メモリ140は、認証情報を記憶することができる。メモリ140は、読み取り専用メモリ及びランダムアクセスメモリを含んでもよく、命令及びデータをプロセッサ130に提供してもよい。メモリ140の一部は、不揮発性ランダムアクセスメモリ（NVRAM）を更に含んでもよい。
【００２６】
固定する場合、ユーザは、まず機能カードをカードコンテナ110に挿入し、次にカードコンテナ110を端末デバイスに挿入する。その後、ユーザは認証情報を入力する。プロセッサ130は、認証情報が正しいか否かを判断するため、認証情報を、メモリ140に記憶された認証情報と比較する。認証情報が正しい場合、プロセッサ130は、カードコンテナ110及び機能カードが取り外しできないように、固定装置120の伸縮可能部123がカードコンテナ110を固定するためにノッチ111まで伸びるように制御する。
【００２７】
ロック解除する場合、ユーザは認証情報を入力する。プロセッサ130は、入力された認証情報を受信し、認証情報が正しいか否かを判断するため、認証情報を、メモリ140に記憶された認証情報と比較する。認証情報が正しいと判断された場合、プロセッサ130は、カードコンテナ110及び機能カードが取り外しできるように、固定装置120の伸縮可能部123がカードコンテナ110をロック解除するためにノッチ111から離れるように制御する。
【００２８】
前述の対策では、ノッチはカードコンテナに配置され、認証情報が正しい場合、固定装置の伸縮可能部は、カードコンテナを固定するためにノッチまで伸びるように、或いは、カードコンテナをロック解除するためにノッチから離れるように制御される。このように、機能カードは、認証情報が正しい場合にのみ取り外されることが可能になり、従って、機能カードが無作為に取り外されることが妨げられる。
【００２９】
図１及び図２を参照すると、図２は、図１に示す端末デバイスの具体的な実現方式の概略図である。制限部121はナット（nut）221であり、伸縮可能部123は、モータ223と、ねじロッド（screw  rod）225とを含み、ねじロッド225の一端はモータ223に接続される。
【００３０】
固定する場合、ユーザは、まず機能カードをカードコンテナ110に挿入し、次にカードコンテナ110を端末デバイスに挿入する。その後、ユーザは認証情報を入力する。プロセッサ130は、認証情報が正しいか否かを判断するため、ユーザにより入力された認証情報を、メモリ140に記憶された認証情報と比較する。認証情報が正しい場合、モータ223は、プロセッサ130の制御で、ねじロッド225がノッチ111まで伸びるように、ねじロッド225がナット221を移動するように駆動する。
【００３１】
ロック解除する場合、ユーザは認証情報を入力する。プロセッサ130は、入力された認証情報を受信し、認証情報を、メモリ140に記憶された認証情報と比較する。認証情報が正しいと判断された場合、モータ223は、プロセッサ130の制御で、ねじロッド225がノッチ111から離れるように、ねじロッド225がナット221を移動するように駆動する。
【００３２】
図１及び図３を参照すると、図３は、図１に示す端末デバイスの他の具体的な実現方式の概略図である。制限部121は制限リング（restricting  ring）321であり、伸縮可能部123は、電磁コイル323と、磁気ロッド325とを含み、磁気ロッド325の一端は電磁コイル323に接続される。
【００３３】
固定する場合、ユーザは、まず機能カードをカードコンテナ110に挿入し、次にカードコンテナ110を端末デバイスに挿入する。その後、ユーザは認証情報を入力する。プロセッサ130は、認証情報が正しいか否かを判断するため、ユーザにより入力された認証情報を、メモリ140に記憶された認証情報と比較する。認証情報が正しい場合、電磁コイル323は、プロセッサ130の制御で、磁気ロッド321がノッチ111まで伸びるように、磁気ロッド325が制限リング321を移動するように駆動する。
【００３４】
ロック解除する場合、ユーザは認証情報を入力する。プロセッサ130は、認証情報が正しいか否かを判断するため、入力された認証情報を受信し、認証情報を、メモリ140に記憶された認証情報と比較する。認証情報が正しいと判断された場合、電磁コイル323は、プロセッサ130の制御で、磁気ロッド321がノッチ111から離れるように、磁気ロッド325が制限リング321を移動するように駆動する。
【００３５】
図４及び図５を参照すると、図４は、本出願による端末デバイスの他の実現方式の概略構成図であり、図５は、本出願による端末デバイスの他の実現方式の固定状態の概略図である。この実現方式の端末デバイスは、カードコンテナ410と、固定装置420と、プロセッサ430とを含む。
【００３６】
カードコンテナ410は、機能カードを収容するように構成され、ノッチ411は機能カード410に配置される。
【００３７】
固定装置420は、ばね421と、電磁コイル422と、ロック突出部（lock  tongue）423とを含み、ロック突出部423は伸縮可能部であり、ロック突出部423の一端は傾斜面（bevel）424を有し、ロック突出部423の他端は電磁コイル422を通じてばね421に接続される。
【００３８】
プロセッサ430は、汎用プロセッサ、デジタルシグナルプロセッサ（DSP）、特定用途向け集積回路（ASIC）、フィールドプログラマブルゲートアレイ（FPGA）若しくは他のプログラム可能論理デバイス、トランジスタ論理デバイス、又はディスクリートハードウェアコンポーネントでもよい。
【００３９】
固定する場合、ユーザは、まず機能カードをカードコンテナ410に挿入し、次にカードコンテナ410を端末デバイスに挿入する。図４に示すように、カードコンテナ410が端末デバイスに挿入される過程で、カードコンテナ410の端のノッチ以外の部分が、ロック突出部423の一端の傾斜面424を押す。カードコンテナ410は、傾斜面424への下方の推進力を生成する。推進力の作用で、ロック突出部423の一端は、ばね421を弾力的に変形させ、ノッチ411がロック突出部423の端に面する位置までカードコンテナ410が移動した場合、ロック突出部423は、カードコンテナ410に対する力を失う。ばね421の作用で、カードコンテナ410及びカードコンテナ410内の機能カードが取り外しできないように、ロック突出部423はノッチ411まで伸びる。
【００４０】
ロック解除する場合、ユーザは認証情報を入力する。プロセッサ430は、認証情報が正しいか否かを判断するため、入力された認証情報を受信し、認証情報を、メモリ440に記憶された認証情報と比較する。入力された認証情報が正しいと判断された場合、電磁コイル422は、磁力を生成するため、プロセッサ430の制御でロック突出部を磁化し、図５に示すように、ロック突出部423は、磁力の作用でノッチ411から離れ、これにより、カードコンテナ410をロック解除する。電磁コイル422は、エレクトロマグネットコイルでもよい。
【００４１】
メモリ440は、停電状態であってもデータを記憶することができるコンポーネントでもよい。メモリ440は、読み取り専用メモリ及びランダムアクセスメモリを含んでもよく、命令及びデータをプロセッサ430に提供してもよい。メモリ440の一部は、不揮発性ランダムアクセスメモリ（NVRAM）を更に含んでもよい。
【００４２】
前述の対策では、ノッチ411はカードコンテナ410に配置され、認証情報が正しい場合、プロセッサ430は、電磁コイルを制御して、ロック突出部が磁力の作用でノッチから離れるように、磁力を生成するためにロック突出部を磁化し、これにより、カードコンテナをロック解除する。このように、機能カードは、認証情報が正しい場合にのみ取り外されることが可能になり、従って、機能カードが無作為に取り外されることが妨げられる。
【００４３】
前述の実施例の認証情報は、パスワード、指紋情報、虹彩情報等でもよく、パスワードは、文字、数字及び識別子の無作為な組み合わせでもよい。
【００４４】
図６を参照すると、図６は、本出願による端末デバイスの機能カードを固定又はロック解除する方法の実現方式のフローチャートである。この実現方式では、端末デバイスの機能カードを固定又はロック解除する方法は、以下のステップを含む。
【００４５】
S601：端末デバイスは、ユーザにより入力された認証情報を受信する。端末デバイスは、移動電話、タブレット、ウェアラブルデバイス、又はデジタルカメラでもよい。
【００４６】
固定する場合、ユーザは、まず機能カードをカードコンテナに挿入し、次にカードコンテナを端末デバイスに挿入する。その後、ユーザは認証情報を入力し、端末デバイスは、ユーザにより入力された認証情報を受信する。機能カードは、SIMカード、USIMカード、SDカード、及びTFカードのうちいずれか１つでもよい。ユーザにより入力された認証情報は、ユーザにより入力されたパスワード、ユーザにより入力された指紋情報、及びユーザにより入力された虹彩情報のうち少なくとも１つでもよく、パスワードは、文字、数字及び識別子のいずれかの組み合わせでもよい。
【００４７】
S602：端末デバイスは、ユーザにより入力された認証情報が正しいか否かを判断する。
【００４８】
プロセッサは、入力された認証情報を受信し、認証情報が正しいか否かを判断するため、認証情報を、メモリに記憶された認証情報と比較する。
【００４９】
S603：ユーザにより入力された認証情報が正しい場合、固定装置の伸縮可能部がカードコンテナを固定するためにノッチまで伸びるように、或いは、カードコンテナをロック解除するためにノッチから離れるように制御する。
【００５０】
具体的に、実現方式では、固定装置は制限部を更に含み、制限部は、伸縮可能部がノッチへの方向に沿って移動するように伸縮可能部の自由度を制限し、ユーザにより入力された認証情報が正しい場合、伸縮可能部は、カードコンテナを固定するためにノッチまで伸びるように、或いは、カードコンテナをロック解除するためにノッチから離れるように制御される。
【００５１】
他の具体的な実現方式では、制限部がナットであり、伸縮可能部がモータと、ねじロッドとを含み、ねじロッドの一端がモータに接続される場合、ユーザにより受信された認証情報が正しい場合、モータは、ねじロッドがノッチまで伸びるように、或いは、ノッチから離れるように、ねじロッドがナットを移動するように駆動するように制御される。制限部が制限リングであり、伸縮可能部が電磁コイルと、磁気ロッドとを含み、磁気ロッドの一端が電磁コイルに接続される場合、ユーザにより受信された認証情報が正しい場合、電磁コイルは、磁気ロッドがノッチまで伸びるように、或いは、ノッチから離れるように、磁気ロッドが制限リングを移動するように駆動するように制御される。
【００５２】
他の実現方式では、固定装置がばねと、電磁コイルと、ロック突出部とを含み、ロック突出部が伸縮可能部であり、ロック突出部の一端が傾斜面を有し、ロック突出部の他端が電磁コイルを通じてばねに接続される場合、カードコンテナが移動する場合、カードコンテナは、ばねが弾力的に変形するように、ロック突出部の傾斜面を押し、ノッチがロック突出部に面する場合、ロック突出部は、ばねの作用でノッチまで伸び、これにより、カードコンテナを固定する。ロック解除する場合、入力された認証情報が正しい場合、電磁コイルは、ロック突出部が磁力の作用でノッチから離れるように、磁力を生成するためにロック突出部を磁化するように制御し、これにより、カードコンテナをロック解除する。
【００５３】
前述の対策では、ノッチはカードコンテナに配置され、入力された認証情報が正しい場合、固定装置は、ノッチを使用することによりカードコンテナをロック解除又は固定するように制御される。このように、機能カードは、入力された認証情報が正しい場合にのみ取り外されることが可能になり、従って、機能カードが無作為に取り外されることが妨げられる。
【００５４】
本出願で提供される複数の実現方式では、開示の装置及び方法は、他の方式で実現されてもよいことが認識されるべきである。例えば、記載の装置の実施例は単なる例示である。例えば、モジュール又はユニットの分割は、単に論理的な機能分割であり、実際の実現では他の分割でもよい。例えば、複数のユニット又はコンポーネントは、組み合わされてもよく、他のシステムに統合されてもよく、いくつかの機能は無視されてもよく、実行されなくてもよい。
【００５５】
統合されたユニットがソフトウェア機能ユニットの形式で実現され、独立したプロダクトとして販売又は使用される場合、統合されたユニットは、コンピュータ読み取り可能記憶媒体に記憶されてもよい。このような理解に基づいて、基本的に本出願の技術的対策若しくは従来技術に寄与する部分、又は技術的対策の全部若しくは一部は、ソフトウェアプロダクトの形式で実現されてもよい。コンピュータソフトウェアプロダクトは、記憶媒体に記憶され、コンピュータデバイス（パーソナルコンピュータ、サーバ又はネットワークデバイス等でもよい）に対して本出願の実施例に記載の方法のステップの全部又は一部を実行するように命令する複数の命令を含む。前述の記憶媒体は、USBフラッシュドライブ、取り外し可能ハードディスク、読み取り専用メモリ（ROM、Read-Only  Memory）、ランダムアクセスメモリ（RAM、Random  Access  Memory）、磁気ディスク又は光ディスクのようなプログラムコードを記憶することができるいずれかの媒体を含む。
【００５６】
最後に、前述の実施例は、単に本発明の技術的対策を説明することを意図するものであり、本発明を限定することを意図するものではない点に留意すべきである。本発明について前述の実施例を参照して詳細に説明したが、当業者は、本発明の実施例の技術的対策の要旨及び範囲を逸脱することなく、依然として、前述の実施例で説明した技術的対策に変更を行ってもよく、この技術的特徴のいくつかに等価置換を行ってもよいことを認識すべきである。
【図１】
2016529600.tif 000003
【図２】
2016529600.tif 000004
【図３】
2016529600.tif 000005
【図４】
2016529600.tif 000006
【図５】
2016529600.tif 000007
【図６】
2016529600.tif 000008
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
カードコンテナと、固定装置と、プロセッサとを有する端末デバイスであって、
前記カードコンテナは、機能カードを収容するように構成され、前記カードコンテナはノッチを有し、
前記固定装置は伸縮可能部を有し、前記伸縮可能部は、前記カードコンテナを固定するために前記ノッチまで伸び、或いは、前記カードコンテナをロック解除するために前記ノッチから離れ、
前記プロセッサは、ユーザにより入力された認証情報に従って、前記認証情報が正しいか否かを判断し、前記認証情報が正しい場合、前記固定装置の前記伸縮可能部が前記カードコンテナを固定するために前記ノッチまで伸びるように、或いは、前記カードコンテナをロック解除するために前記ノッチから離れるように制御するように構成される端末デバイス。
【請求項２】
前記固定装置は制限部を更に含み、前記制限部は、前記伸縮可能部が前記ノッチへの方向に沿って移動するように前記伸縮可能部の自由度を制限し、前記プロセッサの制御で、前記伸縮可能部は、前記カードコンテナを固定するために前記ノッチまで伸び、或いは、前記カードコンテナをロック解除するために前記ノッチから離れる、請求項１に記載の端末デバイス。
【請求項３】
前記制限部はナットであり、前記伸縮可能部は、モータと、ねじロッドとを有し、前記ねじロッドの一端は前記モータに接続され、前記モータは、前記プロセッサの制御で、前記ねじロッドが前記カードコンテナを固定するために前記ノッチまで伸びるように、或いは、前記カードコンテナをロック解除するために前記ノッチから離れるように、前記ねじロッドが前記ナットを移動するように駆動する、請求項２に記載の端末デバイス。
【請求項４】
前記制限部は制限リングであり、前記伸縮可能部は、電磁コイルと、磁気ロッドとを有し、前記磁気ロッドの一端は前記電磁コイルに接続され、前記電磁コイルは、前記プロセッサの制御で、前記磁気ロッドが前記ノッチまで伸びるように、或いは、前記ノッチから離れるように、前記磁気ロッドが前記制限リングを移動するように駆動する、請求項２に記載の端末デバイス。
【請求項５】
前記固定装置は、ばねと、電磁コイルとを更に有し、前記伸縮可能部はロック突出部であり、前記ロック突出部の一端は傾斜面を有し、前記ロック突出部の他端は前記電磁コイルを通じて前記ばねに接続され、
前記カードコンテナが移動する場合、前記カードコンテナは、前記ばねが弾力的に変形するように、前記ロック突出部の前記傾斜面を押し、前記ノッチが前記ロック突出部に面する場合、前記ロック突出部は、前記ばねの作用で前記ノッチまで伸び、これにより、前記カードコンテナを固定し、
前記プロセッサが、前記固定装置の前記伸縮可能部が前記カードコンテナを固定するために前記ノッチまで伸びるように、或いは、前記カードコンテナをロック解除するために前記ノッチから離れるように制御するように構成されることは、
前記電磁コイルが、前記ロック突出部が磁力の作用で前記ノッチから離れるように、前記磁力を生成するために前記プロセッサの制御で前記ロック突出部を磁化し、これにより、前記カードコンテナをロック解除することである、請求項１に記載の端末デバイス。
【請求項６】
前記ユーザにより入力された前記認証情報は、前記ユーザにより入力されたパスワード、前記ユーザにより入力された指紋情報、及び前記ユーザにより入力された虹彩情報のうち少なくとも１つである、請求項１ないし５のうちいずれか１項に記載の端末デバイス。
【請求項７】
前記機能カードは、SIMカード、USIMカード、SDカード、及びTFカードのうちいずれか１つである、請求項１ないし６のうちいずれか１項に記載の端末デバイス。
【請求項８】
前記端末デバイスは、移動電話、タブレット、ウェアラブルデバイス、又はデジタルカメラである、請求項１ないし７のうちいずれか１項に記載の端末デバイス。
【請求項９】
端末デバイスの機能カードを固定又はロック解除する方法であり、前記端末デバイスは、カードコンテナと、固定装置とを有し、前記カードコンテナは、前記機能カードを収容するように構成され、前記カードコンテナはノッチを有し、前記固定装置は伸縮可能部を有し、前記伸縮可能部は、前記カードコンテナを固定するために前記ノッチまで伸び、或いは、前記カードコンテナをロック解除するために前記ノッチから離れる方法であって、
ユーザにより入力された認証情報を受信するステップと、
前記ユーザにより入力された前記認証情報が正しいか否かを判断するステップと、
前記ユーザにより入力された前記認証情報が正しい場合、前記固定装置の前記伸縮可能部が前記カードコンテナを固定するために前記ノッチまで伸びるように、或いは、前記カードコンテナをロック解除するために前記ノッチから離れるように制御するステップと
を有する方法。
【請求項１０】
前記固定装置は制限部を更に有し、前記制限部は、前記伸縮可能部が前記ノッチへの方向に沿って移動するように前記伸縮可能部の自由度を制限し、前記制限部はナットであり、前記伸縮可能部は、モータと、ねじロッドとを含み、前記ねじロッドの一端は前記モータに接続され、
前記固定装置の前記伸縮可能部が前記カードコンテナを固定するために前記ノッチまで伸びるように、或いは、前記カードコンテナをロック解除するために前記ノッチから離れるように制御するステップは、
前記モータを制御して、前記ねじロッドが前記カードコンテナを固定するために前記ノッチまで伸びるように、或いは、前記カードコンテナをロック解除するために前記ノッチから離れるように、前記ねじロッドが前記ナットを移動するように駆動するステップである、請求項９に記載の方法。
【請求項１１】
前記固定装置は制限部を更に有し、前記制限部は、前記伸縮可能部が前記ノッチへの方向に沿って移動するように前記伸縮可能部の自由度を制限し、前記制限部は制限リングであり、前記伸縮可能部は、電磁コイルと、磁気ロッドとを有し、前記磁気ロッドの一端は前記電磁コイルに接続され、
前記固定装置の前記伸縮可能部が前記カードコンテナを固定するために前記ノッチまで伸びるように、或いは、前記カードコンテナをロック解除するために前記ノッチから離れるように制御するステップは、
前記電磁コイルを制御して、前記磁気ロッドが前記カードコンテナを固定するために前記ノッチまで伸びるように、或いは、前記カードコンテナをロック解除するために前記ノッチから離れるように、前記磁気ロッドが前記制限リングを移動するように駆動するステップである、請求項９に記載の方法。
【請求項１２】
前記固定装置は、ばねと、電磁コイルとを更に有し、前記伸縮可能部はロック突出部であり、前記ロック突出部の一端は傾斜面を有し、前記ロック突出部の他端は前記電磁コイルを通じて前記ばねに接続され、
前記カードコンテナが移動する場合、前記カードコンテナは、前記ばねが弾力的に変形するように、前記ロック突出部の前記傾斜面を押し、前記ノッチが前記ロック突出部に面する場合、前記ロック突出部は、前記カードコンテナを固定するために、前記ばねの作用で前記ノッチまで伸び、
前記固定装置の前記伸縮可能部が前記カードコンテナを固定するために前記ノッチまで伸びるように、或いは、前記カードコンテナをロック解除するために前記ノッチから離れるように制御するステップは、
前記電磁コイルを制御して、前記カードコンテナをロック解除するために、前記ロック突出部が磁力の作用で前記ノッチから離れるように、前記磁力を生成するために前記ロック突出部を磁化するステップである、請求項９に記載の方法。
【手続補正２】
【補正対象書類名】明細書
【補正対象項目名】００３３
【補正方法】変更
【補正の内容】
【００３３】
固定する場合、ユーザは、まず機能カードをカードコンテナ110に挿入し、次にカードコンテナ110を端末デバイスに挿入する。その後、ユーザは認証情報を入力する。プロセッサ130は、認証情報が正しいか否かを判断するため、ユーザにより入力された認証情報を、メモリ140に記憶された認証情報と比較する。認証情報が正しい場合、電磁コイル323は、プロセッサ130の制御で、磁気ロッド325がノッチ111まで伸びるように、磁気ロッド325が制限リング321を移動するように駆動する。
【手続補正３】
【補正対象書類名】明細書
【補正対象項目名】００３４
【補正方法】変更
【補正の内容】
【００３４】
ロック解除する場合、ユーザは認証情報を入力する。プロセッサ130は、認証情報が正しいか否かを判断するため、入力された認証情報を受信し、認証情報を、メモリ140に記憶された認証情報と比較する。認証情報が正しいと判断された場合、電磁コイル323は、プロセッサ130の制御で、磁気ロッド325がノッチ111から離れるように、磁気ロッド325が制限リング321を移動するように駆動する。
【手続補正４】
【補正対象書類名】明細書
【補正対象項目名】００３６
【補正方法】変更
【補正の内容】
【００３６】
カードコンテナ410は、機能カードを収容するように構成され、ノッチ411はカードコンテナ410に配置される。
【国際調査報告】
2016529600.tif 000009
2016529600.tif 000010
2016529600.tif 000011
2016529600.tif 000012